(57)【要約】【課題】  ワイヤロープで形成したエンドレススリングの製造方法に関するものであって、複雑な治具を要することなく、内周長の長い場合や太径の場合であっても、短時間で容易に形成することができるエンドドレススリングの製造方法を提供する。【解決手段】  連結部にて環状を保持した仮心綱に、解き分けを要しないワイヤロープの略中央部を仮止めし、両端部における第１撚り合わせ部と第２撚り合わせ部を両方向へ延出させる工程、一端部を仮心綱の周りであって、撚り合せ方向に対して仮心綱に巻き付くよう回転を加えながら螺旋状に撚り合わせる第１撚り合わせ工程、他端部を仮心綱の周りであって、撚り合せ方向に対して仮心綱に巻き付くよう回転を加えながら螺旋状に撚り合わせる第２撚り合わせ工程、両端部を交差させ、連結を解除して抜き出しながら、仮心綱の代わりにロープ心として入れ込む工程とを具備することを特徴とするエンドレススリングの製造方法。【選択図】  図１
2010185150.tif 000002
【特許請求の範囲】
【請求項１】
ストランドへの解き分けを要しないワイヤロープを使用したエンドレススリングの製造方法において、
連結部にて環状を保持した仮心綱に、
ストランドへの解き分けを要しないワイヤロープの略中央部を仮止めし、両端部における第１撚り合わせ部及び第２撚り合わせ部を両方向へ延出させる工程、
一端部を仮心綱の周りであって、撚り合せ方向に対してワイヤロープが仮心綱に巻き付くよう回転を加えながら螺旋状に撚り合わせる第１撚り合わせ工程、
第１撚り合わせ工程後に、他端部を仮心綱の周りであって、撚り合せ方向に対してワイヤロープが仮心綱に巻き付くよう回転を加えながら螺旋状に撚り合わせる第２撚り合わせ工程、
第２撚り合わせ工程後に、ワイヤロープの両端部を交差させ、連結部における連結を解除して抜き出しながら、仮心綱の代わりに第１撚り合わせ部及び第２撚り合わせ部をロープ心として入れ込む工程、
とを具備することを特徴とするエンドレススリングの製造方法。
【請求項２】
仮心綱に対する第１撚り合わせ工程及び第２撚り合わせ工程の撚り合わせは、ワイヤロープを仮心綱に摺接させながら行うことを特徴とする請求項１に記載のエンドレススリングの製造方法。
【請求項３】
第１撚り合わせ部及び第２撚り合わせ部を所望のエンドレススリングの内径より小さい環状に形成したことを特徴とする請求項１又は請求項２に記載のエンドレススリングの製造方法。
【請求項４】
環状を保持した仮心綱は周上に複数の連結部を有することを特徴とする請求項１、請求項２又は請求項３に記載のエンドレススリングの製造方法。
【発明の詳細な説明】
【技術分野】
【０００１】
本発明は、ワイヤロープで形成したエンドレススリングの製造方法に関するものである。
【背景技術】
【０００２】
エンドレススリングは荷吊り作業等に使用されている輪状のスリングであり、当該加工方法の一つにグロメット加工がある。グロメット加工は以下のような手順で行われる。
【０００３】
第１工程として、６本撚りのエンドレススリングを形成する場合は、所望のエンドレススリングと同じ太さの６ストランドロープで、所望のエンドレススリングの内周長の約７．５倍の長さのワイヤロープを用意する。このワイヤロープを６本のストランドに一旦解き分けて、そのうちの１本を使用する。
【０００４】
第２工程として、所望のエンドレススリングの大きさの基準となるようにストランドの略中央部を組み合わせて輪状にする。
【０００５】
第３工程として、ストランドの中央部から延出する右側と左側のストランドを前記輪状にした部分に撚り合わせていく。右側と左側のストランドをそれぞれ周回させ、最初の輪状の部分を含めて合計６回の周回による撚り合わせを終了する。撚り合わせずに残ったストランドは、ハンマーで叩いて撚りクセを直す。
【０００６】
第４工程として、前記プレフォームを直したストランドをスパイキによって心ストランドとして入れ込んでいく。このグロメット加工によれば、６ストランドロープを構成する６本のストランドのうちの１本を用いて、心ストランドの周りに６回周回させて撚り合わせた構造となり、元のワイヤロープの径と略同径のエンドレススリングが得られるものである（例えば、非特許文献１）。
【０００７】
しかし、従来のグロメット加工においては、ワイヤロープをストランドに解き分ける作業が必要となり、当該作業に長時間を要するとともに手数が掛かる問題があった。
【０００８】
そこで、本願発明における出願人は、このストランドへの解き分け作業の煩雑さを改善すべく、エンドレススリングの製造方法について、すでに特許出願を行っている（例えば、特許文献１）。
当該製造方法においては、所望のエンドレススリングの内周長にエンドレススリングにおける撚り合わせ回数の倍の個数の支持体が円周上に立設してなる治具に、ストランドへの解き分けを要しないワイヤロープを略中央部から交互に絡ませ１周の輪状とした後、ワイヤロープの両端部を両方向へ延出させ、一端部を当該輪状としたワイヤロープの周りであって当該支持体の外側若しくは内側に交互に撚り合わせる第１撚り合わせ工程の後、他端部を当該輪状としたワイヤロープの周りであって当該支持体の外側若しくは内側に交互に撚り合わせる第２撚り合わせ工程を行い、その後、ワイヤロープの両端部を交差させロープ心として入れ込むものである。
【先行技術文献】
【特許文献】
【０００９】
【非特許文献１】山口芳男著「ワイヤロープ加工図解（第４版）」ワイヤロープ加工組合連合会、平成３年１１月１日、ｐ．６５−６９
【特許文献１】特開２００７−６３６７７号公報
【発明の概要】
【発明が解決しようとする課題】
【００１０】
しかし、特許文献１に係る製造方法では、エンドレススリングの形成にあたり、ストランドへの解き分け作業を省略することができるものの、巻き易くする為に、所望のエンドレススリングの内周長にエンドレススリングにおける撚り合わせ回数の倍の個数の支持体を円周上に立設させた治具を設けなければならず、エンドレススリングの内周長が異なる度に、新たな治具が必要となり、コストが増大するという問題がある。
【００１１】
そこで、本発明はこのような問題点を解決するものであって、ワイヤロープで形成したエンドレススリングの製造方法に関するものであって、複雑な治具を要することなく、内周長の長い場合や太径の場合であっても、短時間で容易に形成することができるエンドドレススリングの製造方法を提供することを課題とする。
【課題を解決するための手段】
【００１２】
前記問題点を解決するために、本発明の請求項１に記載の発明のエンドレススリングの製造方法は、ストランドへの解き分けを要しないワイヤロープを使用したエンドレススリングの製造方法において、連結部にて環状を保持した仮心綱に、ストランドへの解き分けを要しないワイヤロープの略中央部を仮止めし、両端部における第１撚り合わせ部及び第２撚り合わせ部を両方向へ延出させる工程、一端部を仮心綱の周りであって、撚り合せ方向に対してワイヤロープが仮心綱に巻き付くよう回転を加えながら螺旋状に撚り合わせる第１撚り合わせ工程、第１撚り合わせ工程後に、他端部を仮心綱の周りであって、撚り合せ方向に対してワイヤロープが仮心綱に巻き付くよう回転を加えながら螺旋状に撚り合わせる第２撚り合わせ工程、第２撚り合わせ工程後に、ワイヤロープの両端部を交差させ、連結部における連結を解除して抜き出しながら、仮心綱の代わりに第１撚り合わせ部及び第２撚り合わせ部をロープ心として入れ込む工程、とを具備することを特徴とするものである。
【００１３】
また、本発明の請求項２に記載の発明のエンドレススリングの製造方法は、請求項１に記載のエンドレススリングの製造方法において、仮心綱に対する第１撚り合わせ工程及び第２撚り合わせ工程の撚り合わせは、ワイヤロープを仮心綱に摺接させながら行うことを特徴とするものである。
【００１４】
また、本発明の請求項３に記載の発明のエンドレススリングの製造方法は、請求項１又は請求項２に記載のエンドレススリングの製造方法において、第１撚り合わせ部及び第２撚り合わせ部を所望のエンドレススリングの内径より小さい環状に形成したことを特徴とするものである。
【００１５】
また、本発明の請求項４に記載の発明のエンドレススリングの製造方法は、請求項１、請求項２又は請求項３に記載のエンドレススリングの製造方法において、環状を保持した仮心綱は周上に複数の連結部を有することを特徴とするものである。
【発明の効果】
【００１６】
本発明に係るエンドレススリングの製造方法では、ワイヤロープを用いて形成されており、エンドレススリングを形成する場合にワイヤロープを解き分けてストランドにする必要がない。よって、内周長の長いエンドレススリングや直径（太さ）の大きいエンドレススリングを形成する場合であっても、長いワイヤロープや太径のワイヤロープをストランドに解き分ける必要がなく、ワイヤロープをそのまま使用してエンドレススリングを形成することができる。従って、ストランドに解き分ける作業時間が省略でき、エンドレススリングを形成する作業の手数を大幅に削減することができる。
また、ワイヤロープにおける第１撚り合わせ部及び第２撚り合わせ部を、撚り合せ方向に対して仮心綱に巻き付くよう回転を加えながら螺旋状に撚り合わせるので、従来におけるグロメット加工法のように、いわゆる撚りグセを有していなくても容易に撚り合わせることができる。
更に、仮心綱は連結部にて連結して保持しているので、仮心綱の代わりに第１撚り合わせ部及び第２撚り合わせ部をロープ心として入れ込む際には、連結部における連結を解除させるのみでよく、仮心綱の一部を切断していた従来と比較して、再利用が可能になるとともに、コストを削減することもできる。
【００１７】
また、ストランドへの解き分けを要しないワイヤロープを使用したので、グロメット加工法における同径のエンドレススリングと比較して、極めて細い直径の素線が多数集合したものとなる。そのため、グロメット加工によるエンドレススリングより柔軟性に優れており、作業者による荷吊り作業が行いやすく、荷吊り作業の作業性を良好とすることができる。よって、重量物を荷吊りした場合であってもクセがつきにくく、僅かにクセが付いた場合であっても、手で簡単に修正でき、クセを取って元の形に戻すことができる。エンドレススリングにクセがつきにくいため、エンドレススリングの強度の低下が少なく、寿命も従来のものより長くすることができる。
【００１８】
本発明の請求項２に記載の発明のエンドレススリングの製造方法では、仮心綱に対する第１撚り合わせ工程及び第２撚り合わせ工程の撚り合わせは、ワイヤロープを仮心綱に摺接させながら行うので、ワイヤロープの回転方向に作用する力はワイヤロープと仮心綱の当接箇所においては、すべりに対する力として作用する。これにより、ワイヤロープを仮心綱に締着することができるので、請求項１における製造方法よりも、更に容易に撚り合わせることができる。
【００１９】
本発明の請求項３に記載の発明のエンドレススリングの製造方法では、第１撚り合わせ部及び第２撚り合わせ部を所望のエンドレススリングの内径より小さい環状に形成するので、エンドレススリングの内周長が長い場合であっても、環状に形成した第１撚り合わせ部及び第２撚り合わせ部を仮心綱の内側（外側）から外側（内側）へ容易に挿通させることができる。これにより、作業時間を短縮することができる。
【００２０】
本発明の請求項４に記載の発明のエンドレススリングの製造方法では、環状を保持した仮心綱の周上に複数の連結部を有するので、隣接する連結部間の間隙を小さくすることができ、わざわざ、第１撚り合わせ部及び第２撚り合わせ部をＸ状にした口元付近に連結部を設けるという工程を省略することができる。これは、エンドレススリングの内周長の大きさに比例して有効的なものとなる。
更に、隣接する連結部の間に位置する仮心綱を取り除く若しくは増やすことで、内周長を調整することができるので、一つの仮心綱で多数の内周長のエンドレススリングを形成することができる。
【図面の簡単な説明】
【００２１】
【図１】本発明に係るエンドレススリングの正面図である。
【図２】図１におけるＰ―Ｐ線の断面図である。
【図３】本発明に係るエンドレススリングの仮心綱を（ａ）環状にした状態の正面図、（ｂ）連結部にて連結させる前の一部拡大正面図である。
【図４】ワイヤロープの略中心部を仮心綱に仮止部材にて固定した状態の正面図である。
【図５】本発明に係るエンドレススリングの仮心綱の周りにワイヤロープを撚り合わせた状態を示す拡大説明図である。
【図６】本発明に係るエンドレススリングの仮心綱の周りにワイヤロープを撚り合わせた状態を示す図５における（ａ）Ｑ―Ｑ線の端面簡略図、（ｂ）Ｒ−Ｒ線の端面簡略図、（ｃ）Ｓ−Ｓ線の端面簡略図である。
【図７】本発明に係るエンドレススリングの仮心綱の周りにワイヤロープを１周撚り合わせた状態の正面図である。
【図８】本発明に係るエンドレススリングの仮心綱の周りにワイヤロープを２周撚り合わせた状態の正面図である。
【図９】本発明に係るエンドレススリングの仮心綱の周りにワイヤロープを３周撚り合わせた状態の正面図である。
【図１０】本発明に係るエンドレススリングの仮心綱の周りにワイヤロープを４周撚り合わせた状態の正面図である。
【図１１】本発明に係るエンドレススリングの仮心綱の周りにワイヤロープを５周撚り合わせた状態の正面図である。
【図１２】本発明に係るエンドレススリングの仮心綱の周りにワイヤロープを６周撚り合わせた状態の正面図である。
【図１３】本発明に係るエンドレススリングの仮心綱を抜き出しながら、仮心綱の代わりに第１撚り合わせ部をロープ心として入れ込んでいる状態の正面図である。
【図１４】本発明に係るエンドレススリングの第１撚り合わせ部に隙間を開け、その隙間に第２撚り合わせ部を貫通させた状態の正面図である。
【図１５】本発明に係るエンドレススリングの別仕様の仮心綱を環状にした状態の正面図である。
【発明を実施するための形態】
【００２２】
以下、本発明の実施の形態におけるエンドレススリングの製造方法を図面に基づいて説明する。
【実施例】
【００２３】
本発明に係るエンドレススリング１について、エンドレススリング１を形成する工程を図１から図１５に従って説明する。本発明の実施の形態に係るエンドレススリング１は、図１及び図２に示すように、ワイヤロープ２が６本撚り合わされて形成される。
【００２４】
図３に示すように、エンドレススリング１の形成にはワイヤロープ２と略同径とされる仮心綱３が使用される。当該仮心綱３は、図３（ｂ）に示すように、両端部を連結部３ａとし、一端部には凸部３ｂが形成され、他端部には凹部３ｃが形成されている。当該連結部３ａにおける凸部３ｂ及び凹部３ｃを連結させることで、仮心綱３は所望のエンドレススリング１の大きさの基準となるように環状に形成される。また、仮心綱３の全周にビニルテープを巻き付けるなどして仮心綱３であることを識別できるようにすることが望ましい。
【００２５】
また、仮心綱３における連結手段は、凸部３ｂ及び凹部３ｃに限られることなく、連結解除作業を容易とするものであればよい趣旨で、例えば、連結部３ａの端部に永久磁石等を設けてもよい。
【００２６】
エンドレススリング１を形成するワイヤロープ２は、所望のエンドレススリング１の直径（太さ）Ｄの１／３の直径ｄとし、所望のエンドレススリング１の内周長Ｌの約７．５倍の長さとされる。図２に示すように、６本撚りのエンドレススリング１の場合、直径（太さ）Ｄは元のワイヤロープ２の３倍となる。
【００２７】
図４に示すようにして、ワイヤロープ２は、一端部を第１撚り合わせ部２ｇとし、他端部を第２撚り合わせ部２ｈとされる。また、エンドレススリング１への加工を容易にする為に、第１撚り合わせ部２ｇ及び第２撚り合わせ部２ｈを環状に形成し、当該環状を保持すべく針金、紐等の仮止部材４にて束ねる。環状に形成された第１撚り合わせ部２ｇ及び第２撚り合わせ部２ｈは、仮心綱３の内径よりも小さく形成されてあればよい。これにより、エンドレススリング１の内周長が長い場合であっても、環状に形成した第１撚り合わせ部２ｇ及び第２撚り合わせ部２ｈを仮心綱３の内側（外側）から外側（内側）へ容易に挿通させることができる。
【００２８】
同図に示すように、仮心綱３への撚り合わせは、まずワイヤロープ２の略中央部を仮心綱３に仮止部材４で固定して、ワイヤロープ２の略中央部分からワイヤロープ２の第１撚り合わせ部２ｇと第２撚り合わせ部２ｈが両方向に延出した状態とする。第１周目２ａから第３周目２ｃまでの撚り合わせを第１撚り合わせ部２ｇ又は第２撚り合わせ部２ｈのいずれか一方で行い、第４周目２ｄから第６周目２ｆまでの撚り合わせをいずれか他方で行う。本実施例では、第１周目２ａから第３周目２ｃまでは第１撚り合わせ部２ｇで行い、第４周目２ｄから第６周目２ｆまでは第２撚り合わせ部２ｈで行う。尚、内周長Ｌの小さいエンドレススリング１の場合はワイヤロープ２の端から撚り合わせを行うこともできる。
【００２９】
第１周目２ａは、第１撚り合わせ部２ｇを用いて仮心綱３の周りに撚り合わせる。第１周目２ａにおける撚り合わせの回数は、内周長Ｌ／（ワイヤロープ直径ｄ×３×７）＝回数（小数点以下切捨て）となるようにして決定する。
【００３０】
このとき、本発明におけるワイヤロープ２の第１撚り合わせ部２ｇを仮心綱３へ捩じり合わせるようにして撚りを掛けていく。言い換えれば、図５に示すように、仮心綱３への撚り合わせ方向Ｘに対してワイヤロープ２が仮心綱３に巻き付くように回転を加え（図６（ａ）乃至（ｃ）参照）、つる巻き螺旋状に摺接させながら巻き付けることで、ワイヤロープ２は仮心綱３に締着するようにして撚られる。
【００３１】
ここで、グロメット加工法におけるワイヤロープを解き分けた１本のストランドの場合では、仮心綱に対して解き分けたストランドを回転させながら巻き付ける必要がなく、いわゆる撚りグセ同士を絡めていけば、自然と撚り合わされるものである。
【００３２】
一方、本願発明においては、解き分けを有しない複数のストランドから形成されているワイヤロープ２を使用するので、グロメット加工法のように、いわゆる撚りグセ同士が絡むということはない。そこで、本願発明では撚りグセに相当するよう、仮心綱３に対してワイヤロープ２を回転させ、摺接させながら巻き付けることが必要となる。すなわち、複数のストランドから形成されることで弾性に富んだワイヤロープ２を使用し、仮心綱３に対して回転させ、且つ、摺接させながら巻き付けることで、ワイヤロープ２の回転方向に作用する力はワイヤロープ２と仮心綱３の当接箇所においては、すべりに対する力として作用する。これにより、ワイヤロープ２を仮心綱３に締着することができるので、いわゆる撚りグセを有していなくても容易に撚り合わせることができる。
【００３３】
また、撚りの長さ（ピッチ）については、撚り合わせの回数に誤りがなければ、複数のストランドから形成され弾性に富むワイヤロープ２を使用しているので、後述するように小さいハンマー等で軽く叩いて形を整えるだけで、撚りの長さは容易に調整することができる。
【００３４】
このようにして、図７に示すように第１周目２ａの撚り合わせを行った後、図８及び図９に示すようにして、同様の方法で、引き続き第２周目２ｂ、第３周目２ｃを撚り合わせる。第２周目２ｂ、第３周目２ｃは、第１周目２ａにおけるワイヤロープ２の撚り合わせ方向に対して前に沿わせるか、後に沿わせるかを決めて撚り合わせる。本実施例では撚り合わせ方向に対して前に沿うようにして撚り合わせている。それぞれ重ならないように沿わせて、同じ回数だけ巻き付ける。
【００３５】
次に、図１０に示すように、第２撚り合わせ部２ｈを用いて、同様の方法で、仮心綱３に対してワイヤロープ２を回転させ、摺接させながら巻き付けて、第４周目２ｄを撚り合わせる。第４周目２ｄは、第１周目２ａに沿わせるようにして撚り合わせる。
【００３６】
第４周目３４の撚り合わせを行った後、図１１及び図１２に示すようにして、引き続き第５周目２ｅ、第６周目２ｆを撚り合わせる。本実施例では第２周目２ｂ、第３周目２ｃは、第１周目２ａのワイヤロープ２の撚り合わせ方向に対して前に沿うようにして撚り合わせているため、第５周目２ｅ、第６周目２ｆについても、第４周目２ｄのワイヤロープ２の撚り合わせ方向に対して前に沿うように撚り合わせる。それぞれ重ならないように沿わせて、同じ回数だけ巻き付ける。
【００３７】
第５周目２ｅの撚り合わせが終わった時点で、第６周目２ｆのワイヤロープ２が入る間隙があるか確認する。第６周目２ｆのワイヤロープ２は、１回転撚り合わせる毎に小さいハンマーで軽く叩いて形を整えることが望ましい。
【００３８】
図１２に示すように、第１周目２ａから第６周目２ｆまでの撚り合わせが完了した時点で、第１撚り合わせ部２ｇと第２撚り合わせ部２ｈとが向かい合わせで同じ位置に出ているか確認する。正しく撚り合わせられていることを確認した後、第１撚り合わせ部２ｇと、第２撚り合わせ部２ｈをＸ状に交差させる。
【００３９】
交差させた後、ワイヤロープ２のストランド間に隙間を開け、その隙間に他のワイヤロープを差し込む専用器具（「じょうご」あるいは「ラッパ」という）を使用して、初めに口入したワイヤロープ２である第１撚り合わせ部２ｇに隙間を開け、その隙間に第２撚り合わせ部２ｈを貫通させる（図１４参照）。これにより、第１撚り合わせ部２ｇ及び第２撚り合わせ部２ｈは、Ｘ状になった口元２ｉにて仮止め状態となる。このとき、仮心綱３における連結部３ａの連結解除作業を容易に行う為に、仮心綱３における連結部３ａは、口元２ｉ付近であることが望ましい。
【００４０】
図１３に示すように、Ｘ状になった口元２ｉからスパイキ５を用いて、仮心綱３を外に出し、連結部３の連結を解除する。そして、仮心綱３をスパイキ５で抜き出しながら、仮心綱３の代わりに第１撚り合わせ部２ｇ又は第２撚り合わせ部２ｈのいずれかを、別のスパイキ５を用いてロープ心として入れ込んでいく。本実施例では第１撚り合わせ部２ｇを初めにロープ心として入れ込んでいる。
【００４１】
その後、貫通させた第２撚り合わせ部２ｈを第１撚り合わせ部２ｇと同様にして、仮心綱３を抜き出しながら代わりにロープ心として入れ込んでいく。仮心綱３とワイヤロープ２を固定していた仮止部材４は除去する。
【００４２】
ロープ心は、Ｘ状になった口元２ｉから略対向する位置近くまで入れ込む。ロープ心の両端はエンドレススリング１の直径（太さ）Ｄと同じ程度間隔を空けることとし、ロープ心の端部はバラけないように繊維の紐を巻くことが望ましい。ロープ心を中に納めてからエンドレススリング１をハンマーで軽く叩いて全体をなじませてエンドレススリング１の形成を完了する。尚、エンドレススリング１には吊り荷やフックに当たる部分または全体に、磨耗、損傷を防ぐため、強度を保つためにマニラロープ、合繊ロープ、ワイヤロープ、シージング（針金）等を巻き付けて保護（サービング）してもよい。
【００４３】
本実施例における仮心綱３は、連結部３ａを１箇所のみとしたが、図１５に示すように、環状における仮心綱３の周上に等間隔に複数の連結部３ａを設けることもできる。連結部３ａは、可能な限り多く設けることが望ましい。これにより、隣接する連結部３ａ間の間隙を小さくすることができ、わざわざ、第１撚り合わせ部２ｇ及び第２撚り合わせ部２ｈをＸ状にした口元２ｉ付近に連結部３ａを設けるという工程を省略することができる。これは、エンドレススリング１の内周長の大きさに比例して有効的なものとなる。
【００４４】
更に、複数の連結部３ａを設けた場合であって、隣接する連結部３ａの間に位置する仮心綱６を取り除く若しくは増やすことで、内周長を調整することができるので、一つの仮心綱６で多数の内周長のエンドレススリングを形成することができる。これらの仮心綱３、６には、連結式のフレキシブルパイプ、合成樹脂製のパイプ等を採用することもできる。
【符号の説明】
【００４５】
１      エンドレススリング
２      ワイヤロープ
２ａ    第１周目
２ｂ    第２周目
２ｃ    第３周目
２ｄ    第４周目
２ｅ    第５周目
２ｆ    第６周目
２ｇ    第１撚り合わせ部
２ｈ    第２撚り合わせ部
２ｉ    口元
３、６  仮心綱
３ａ    連結部
３ｂ    凸部
３ｃ    凹部
４      仮止部材
５      スパイキ
Ｄ      エンドレススリングの直径
ｄ      ワイヤロープの直径
Ｌ      内周長
【図１】
2010185150.tif 000003
【図２】
2010185150.tif 000004
【図３】
2010185150.tif 000005
【図４】
2010185150.tif 000006
【図５】
2010185150.tif 000007
【図６】
2010185150.tif 000008
【図７】
2010185150.tif 000009
【図８】
2010185150.tif 000010
【図９】
2010185150.tif 000011
【図１０】
2010185150.tif 000012
【図１１】
2010185150.tif 000013
【図１２】
2010185150.tif 000014
【図１３】
2010185150.tif 000015
【図１４】
2010185150.tif 000016
【図１５】
2010185150.tif 000017